(57)【要約】      （修正有）【課題】  簡易な形状、構造として安価で材料に無駄がなく、しかもディスクに傷がつく恐れがない、紙製ディスクケースを提供する。【解決手段】  面部分１４の上にディスク２４を載置し、面部分１６を折り畳み、切起し片２２ａおよび２２ｂを切込み２０ａおよび２０ｂに挿入するだけで、ディスク２４を収納することができるので、収納に手間がかからない。１０は、１枚の板紙１２からなり、この板紙１２は、２つの面部分１４および１６と、それらを折り畳み可能に連結する折り曲げ部１８とを含む。【選択図】  図２
2006051973.tif 000002
【特許請求の範囲】
【請求項１】
連続する第１面部分と第２面部分とを有する板紙からなる紙製ディスクケースであって、
前記板紙は前記第１面部分と前記第２面部分との境目に形成された折り曲げ部を有し、その折り曲げ部で前記第１面部分と前記第２面部分とを折り畳むことによってそれらの間にディスクを収納し、
前記板紙は、前記第１面部分に形成した切込み、および前記第２面部分に形成した挿入部をさらに含み、
前記挿入部を前記切込みに挿入することによって前記第１面部分と前記第２面部分とを互いに係止する、ディスクケース。
【請求項２】
前記挿入部を前記切込みに挿入することによって前記第１面部分と前記第２面部分とが交差する交差部が形成され、
前記第１面部分と前記第２面部分との間に収納された前記ディスクの頂部を挟む２箇所で前記ディスクの外方に前記交差部が形成されるように、前記切込みおよび前記挿入部を形成し、それによって
前記ディスクは前記２つの交差部および前記折り曲げ部によって脱落が防止される、請求項１記載のディスクケース。
【請求項３】
前記切込みは前記ディスクの前記頂部を挟む位置に形成した２つの切込みを含み、そして
前記挿入部は前記２つの切込みにそれぞれ挿入される２つの挿入部を含む、請求項２記載のディスクケース。
【請求項４】
前記切込みは前記ディスクの前記頂部を含んでその頂部の両側まで延びる１つの弧状の切込みを含み、
前記挿入部は前記弧状の切込みに挿入される１つの挿入部を含み、
前記１つの挿入部を前記１つの切込みに挿入することによって、前記切込みの両端またはその近傍に前記２つの交差部が形成される、請求項２記載のディスクケース。
【請求項５】
前記板紙は、横方向に連結された第１および第２板紙を含み、前記第１および第２板紙はそれぞれ前記第１面部分、前記第２面部分および前記折り曲げ部を有し、それによって２枚のディスクを収納できるようにした、請求項４記載のディスクケース。
【請求項６】
前記板紙は第２面部分に連続する第３面部分、および前記第２面部分と前記第３面部分との境目に形成された第２の折り曲げ部をさらに有し、
前記第２の折り曲げ部で前記第２面部分と前記第３面部分を折り畳むことによってそれらの間に第２のディスクを収納し、
前記板紙は、前記第２面部分に形成した第２の切込み、および前記第３面部分に形成した第２の挿入部をさらに含み、
前記第２の挿入部を前記第２の切込みに挿入することによって前記第２面部分と前記第３面部分とを互いに係止する、請求項１記載のディスクケース。
【請求項７】
前記板紙は第１面部分に連続する第３面部分、および前記第１面部分と前記第３面部分との境目に形成された第２の折り曲げ部をさらに有し、
前記第２の折り曲げ部で前記第３面部分を前記第２面部分の上に折り畳むことによってそれらの間に第２のディスクを収納し、
前記板紙は、前記第２面部分に形成した第２の切込み、および前記第３面部分に形成した第２の挿入部をさらに含み、
前記第２の挿入部を前記第２の切込みに挿入することによって前記第２面部分と前記第３面部分とを互いに係止する、請求項１記載のディスクケース。
【請求項８】
連続する第１面部分、第２面部分および第３面部分を有する板紙からなる紙製ディスクケースであって、
前記板紙は前記第１面部分と前記第２面部分との境目および前記第２面部分と前記第３面部分との境目にそれぞれ形成された折り曲げ部を有し、
前記板紙は、前記第１面部分に形成したその差し渡し長さが前記第１面部分の幅より短くかつディスクの直径より短い円弧状の切込みをさらに含み、前記円弧状の切込みによって前記第１面部分は上半分および下半分に分割され、
前記円弧状の切込みの両側に残った連結部で前記下半分を前記上半分の上に折り返すことによって前記上半分および前記下半分で一端開放のポケットを形成し、
前記ポケットに前記ディスクを挿入し、そして前記２つの折り曲げ部で各面部分を折り畳むことによってディスクを収納する、ディスクケース。
【請求項９】
連続する第１面部分、第２面部分および第３面部分を有する板紙からなる紙製ディスクケースであって、
前記板紙は前記第１面部分と前記第２面部分との境目および前記第２面部分と前記第３面部分との境目にそれぞれ形成された折り曲げ部を有し、
前記板紙は、前記第１面部分と前記第３面部分との境目の前記折り曲げ部に形成された切込みをさらに含み、前記切込みによって前記第１面部分の先端に第１挿入部が形成され、さらに
前記板紙は、前記第２面部分の先端の、前記第１挿入部と対応する位置に形成された第２挿入部を含み、
前記１面部分に前記ディスクを載置し、そして前記２つの折り曲げ部で前記第２面部分および前記第３面部分を順次折り畳むことによってディスクを収納する、ディスクケース。
【発明の詳細な説明】
【技術分野】
【０００１】
この発明は紙製ディスクケースに関し、特にたとえば、ＣＤ（コンパクトディスク）、ＤＶＤ（ディジタル多用途ディスク）などを収納する、紙製ディスクケースに関する。
【背景技術】
【０００２】
たとえばＣＤの収納ケースを従来のプラスチックではなく、紙で作ることが提案されている。一方、その収納内容に関する補足説明（取扱い説明等）を記載した印刷物が添付される場合が多いが、紙でケースを作る場合、ケース自体に補足情報の記載機能を持たせることが容易にできる。
【０００３】
また、近年ＣＤなどのディスクはコンピュータや家電品などの製品の付属品として利用される場合も多く、その場合、ディスクは製品に同梱されるため、ディスクケースは簡易な形状でよいとされ、むしろそれによってより安価であることが望まれる。ただし、安価であることは、ケースの製作費用だけでなく、ケースにディスクをセットまたは収納する作業費も含めて検討される。
【０００４】
袋型ケースでは、ディスクを袋の中へ収納する。
【０００５】
また、特許文献１に開示される十文字型板紙ケースでは、ディスクを両側の折り返し保持片の下に入れ、その状態で左右の側面板を折り畳んでディスクを覆う。
【０００６】
特許文献２に開示される長方形型板紙ケースでは、１つの面に形成した切込み溝を引き起こしてディスクを係止し、その上から２つの面を折り畳んでディスクを覆う。
【特許文献１】実用新案公報第３０８００１４号  ［Ｂ６５Ｄ ８５／５７］
【特許文献２】実用新案公報第３０４７２５３号  ［Ｂ６５Ｄ ８５／５７］
【発明の開示】
【発明が解決しようとする課題】
【０００７】
袋型ケースの場合、材料（原紙）から袋状に加工する際、材料（原紙）からの型抜きの後、貼り加工が必要となる。
【０００８】
これに対し、特許文献１および２従来技術では、貼り加工は不要である。
【０００９】
しかしながら、特許文献１の十文字型板紙ケースでは、５面を有し、その５面はディスクを載せる面（４角形）を中央とし、その面の天地左右に４面が接する配列となる。この形状の場合、中央面に載せたディスクを天地左右の４面を折って包み込むので、ケースにディスクを保持するという点では優れている。
【００１０】
しかしながら、十文字型ケースでは、製作過程において、材料（原紙）からその形状を型抜きする際に、中央面と天地方向で接する２面（あるいは中央面と左右方向で接する２面の天地）部分に抜き落とされる部分が発生する。
【００１１】
したがって、十文字型ケースの場合、材料を無駄なく使用しているとは言い難い。
【００１２】
特許文献２の長方形型ケースの場合、抜き落としの部分がないので材料の無駄はない。しかしながら、この形状の場合、ディスクを載せる面に切込みを形成し、その切込みにディスクを差し込んで、ディスクをケース内に係止する。
【００１３】
切込みにディスクが挿入された状態で、または切込みからディスクを取り出すときに、ディスクの記録面が切込みのエッジに触れることにより、ディスク記録面が傷付く恐れがあるという問題がある。
【００１４】
このように、従来の紙ケースでは必ずしも、材料（原紙）の節約は十分とはいえず、あるいは、十分安価であるともいえない。
【００１５】
それゆえに、この発明の主たる目的は、新規な、紙製ディスクケースを提供することである。
【００１６】
この発明の他の目的は、簡易な形状／構造として安価で材料に無駄もなく、しかも簡易な形状／構造でありながらディスクに傷が付く恐れがない、紙製ディスクケースを提供することである。
【課題を解決するための手段】
【００１７】
請求項１の発明は、連続する第１面部分と第２面部分とを有する板紙からなる紙製ディスクケースであって、板紙は第１面部分と第２面部分との境目に形成された折り曲げ部を有し、その折り曲げ部で第１面部分と第２面部分とを折り畳むことによってそれらの間にディスクを収納し、板紙は、第１面部分に形成した切込み、および第２面部分に形成した挿入部をさらに含み、挿入部を切込みに挿入することによって第１面部分と第２面部分とを互いに係止する、ディスクケースである。
【００１８】
請求項１の発明では、ディスクケース（１０：実施例において関連する参照符号）は、１枚の板紙（１２）を含み、この板紙（１２、１２’）が第１面部分（１４、１４’）、第２面部分（１６、１６’）およびその境目の折り曲げ部（１８、１８’）を有する。第１面部分（１４）に切込み（２０ａ，２０ｂ、２０、２０’）を形成し、第２面部分（１６）に切起し片の挿入部（２２ａ，２２ｂ、２２、２２’）を形成する。
【００１９】
ディスクケース（１０）にディスク（２４）を収納する場合、第１面部分（１４、１４’）の上面にディスクを載せ、その状態で、折り曲げ部（１８、１８’）で、第２面部分（１６、１６’）が第１面部分（１４、１４’）に重なるように第２面部分（１６、１６’）を折り畳む。そして、第２面部分（１６、１６’）に形成されている挿入部（２２ａ，２２ｂ、２２、２２’）を第１面部分（１４、１４’）に形成されている切込み（２０ａ，２０ｂ、２０、２０’）に、挿入する。それによって、第１面部分と第２面部分とが互いに係止され、ディスクが第１および第２面部分間から脱落するのを防止する。
【００２０】
このように、第１面部分の上にディスクを載置し、第２面部分を折り畳み、切起し片または挿入部を切込みに挿入するだけで、ディスクをディスクケースに収納することができて、収納に手間がかからない。
【００２１】
しかも、１枚のディスクを収納するのに２つの面部分が必要なだけであるため、材料を節約してコストを抑制することができる。
【００２２】
さらに、ディスクの記録面は全面的に面部分で保護されるので、記録面に傷が付くなどの問題は生じない。しかも、全体形状が長方形であるため、材料（原紙）から型抜きする際にも材料の無駄がない。
【００２３】
請求項２の発明は、挿入部を切込みに挿入することによって第１面部分と第２面部分とが交差する交差部が形成され、第１面部分と第２面部分との間に収納されたディスクの頂部を挟む２箇所でディスクの外方に交差部が形成されるように、切込みおよび挿入部を形成し、それによってディスクは２つの交差部および折り曲げ部によって脱落が防止される、請求項１記載のディスクケースである。
【００２４】
請求項２の発明では、第１面部分と第２面部分との間に収納されたディスクは、そのディスクの外周近傍に形成される３つの点（２つの交差部と１つの係止点）によって全ての方向への移動が制限されるので、ディスクがディスクケースから脱落することがない。
【００２５】
請求項３の発明は、切込みはディスクの頂部を挟む位置に形成した２つの切込みを含み、そして挿入部は２つの切込みにそれぞれ挿入される２つの挿入部を含む、請求項２記載のディスクケースである。
【００２６】
請求項３の発明では、２つの交差部を作るために、２対の切込みと切起し片（挿入部）を形成する。
【００２７】
請求項４の発明は、切込みはディスクの頂部を含んでその頂部の両側まで延びる１つの弧状の切込みを含み、挿入部は弧状の切込みに挿入される１つの挿入部を含み、１つの挿入部を１つの切込みに挿入することによって、切込みの両端またはその近傍に２つの交差部が形成される、請求項２記載のディスクケースである。
【００２８】
請求項４の発明では、２つの交差部を作るために、図１１のような比較的長い１対の切込みと切起し片（挿入部）を形成する。
【００２９】
請求項５の発明は、板紙は、横方向に連結された第１および第２板紙を含み、第１および第２板紙はそれぞれ第１面部分、第２面部分および折り曲げ部を有し、それによって２枚のディスクを収納できるようにした、請求項４記載のディスクケースである。
【００３０】
請求項５の発明では、第１板紙（１１２１：図１４）および第２板紙（１１２２）を折り曲げ部（４４）で折り畳み可能に連結し、第１板紙（１１２１）に第１面部分（１１４１）、第２面部分（１１６１）、および折り曲げ部（１１８１）を形成し、第２板紙（１１２２）に第１面部分（１１４２）、第２面部分（１１６２）、および折り曲げ部（１１８２）を形成し、それぞれの第１面部分と第２面部分との間にディスクを収納する。そして、第１面部分（１１４１、１１４２）に形成したき切込み（１２０１、１２０２）へ第２面部分（１１６１、１１６２）に形成した切起し片（１２２１、１２２２）を挿入する。各板紙に１枚、合計２枚のディスクを収納できる。
【００３１】
請求項６の発明は、板紙は第２面部分に連続する第３面部分、および第２面部分と第３面部分との境目に形成された第２の折り曲げ部をさらに有し、第２の折り曲げ部で第２面部分と第３面部分を折り畳むことによってそれらの間に第２のディスクを収納し、板紙は、第２面部分に形成した第２の切込み、および第３面部分に形成した第２の挿入部をさらに含み、第２の挿入部を第２の切込みに挿入することによって第２面部分と第３面部分とを互いに係止する、請求項１記載のディスクケースである。
【００３２】
請求項６の発明では、３枚のディスクが収納できる。
【００３３】
請求項７の発明は、板紙は第１面部分に連続する第３面部分、および第１面部分と第３面部分との境目に形成された第２の折り曲げ部をさらに有し、第２の折り曲げ部で第３面部分を第２面部分の上に折り畳むことによってそれらの間に第２のディスクを収納し、板紙は、第２面部分に形成した第２の切込み、および第３面部分に形成した第２の挿入部をさらに含み、第２の挿入部を第２の切込みに挿入することによって第２面部分と第３面部分とを互いに係止する、請求項１記載のディスクケースである。
【００３４】
請求項７の発明では、３枚のディスクが収納できる。
【００３５】
請求項８の発明は、連続する第１面部分、第２面部分および第３面部分を有する板紙からなる紙製ディスクケースであって、板紙は第１面部分と第２面部分との境目および第２面部分と第３面部分との境目にそれぞれ形成された折り曲げ部を有し、板紙は、第１面部分に形成したその差し渡し長さが第１面部分の幅より短くかつディスクの直径より短い円弧状の切込みをさらに含み、円弧状の切込みによって第１面部分は上半分および下半分に分割され、円弧状の切込みの両側に残った連結部で下半分を上半分の上に折り返すことによって上半分および下半分で一端開放のポケットを形成し、ポケットにディスクを挿入し、そして２つの折り曲げ部で各面部分を折り畳むことによってディスクを収納する、ディスクケースである。
【００３６】
請求項８の発明では、ディスクケース（１００：図２４）は、１枚の板紙（１１２）からなる。板紙（１１２）は、連続する第１面部分（１１４）、第２面部分（１１６）および第３面部分（１２０）を有する。さらに、板紙（１１２）は、第１面部分と第２面部分との境目および第２面部分と第３面部分との境目にそれぞれ形成された折り曲げ部（１１８、１２２）を有する。第１面部分（１１４）に、差し渡し長さ（Ａ）が第１面部分の幅（Ｂ）］より短くかつディスクの直径（Ｃ）より短い円弧状の切込み（１２４）を形成する。したがって、第１面部分（１１４）は上半分（１１４ａ）および下半分（１１４ｂ）に分割され、円弧状の切込みの両側に残った連結部（１２４ａ）で下半分を上半分の上に折り返すことによって第１面部分の上半分（１１４ａ）および下半分（１１４ｂ）で一端開放のポケット様のものを形成する。そのポケット（様のもの）にディスク（２４）を挿入し、そして２つの折り曲げ部で第１面部分、第２面部分、第３面部分を折り畳むことによってディスクを収納する。
【００３７】
請求項８の発明によれば、第１面部分の下半分を折り返し、上半分と下半分との間にディスクを挿入し、全ての面部分を折り畳むだけでディスクを収納できる。したがって、ディスクの収納のために手間がかからず、収納が簡易である。
【００３８】
請求項９の発明は、連続する第１面部分、第２面部分および第３面部分を有する板紙からなる紙製ディスクケースであって、板紙は第１面部分と第２面部分との境目および第２面部分と第３面部分との境目にそれぞれ形成された折り曲げ部を有し、板紙は、第１面部分と第３面部分との境目の折り曲げ部に形成された切込みをさらに含み、切込みによって第１面部分の先端に第１挿入部が形成され、さらに板紙は、第２面部分の先端の、第１挿入部と対応する位置に形成された第２挿入部を含み、第１面部分にディスクを載置し、そして２つの折り曲げ部で第２面部分および第３面部分を順次折り畳むことによってディスクを収納する、ディスクケースである。
【００３９】
請求項９の発明では、ディスクケース（２００：図２７）は、１枚の板紙（２１２）からなる。板紙（２１２）は、連続する第１面部分（２１４）、第２面部分（２１６）および第３面部分（２２０）を有する。さらに、板紙（２１２）は、第１面部分と第２面部分との境目および第２面部分と第３面部分との境目にそれぞれ形成された折り曲げ部（２１８、２２２）を有する。さらに、第１面部分（２１４）と第３面部分（２２０）との境目の折り曲げ部（２２２）に切込み（２２４）を形成する。この切込み（２２４）を形成することによって、第１面部分（２１４）の先端に第１挿入部（２１４ａ）が形成される。第２面部分（２１６）を第１面部分（２１４）上に折り畳んだときにこの第１挿入部（２１４ａ）と重なる位置に、第２面部分の先端に、第２挿入部（２１６ａ）を形成する。
【００４０】
第１面部分にディスクを載置し、そして２つの折り曲げ部で第２面部分および第３面部分を順次折り畳むことによってディスクを収納する。つまり、ディスク（２４）は第１面部分（２１４）と第２面部分（２１６）との間に保持され、さらに第３面部分（２２０）を折り畳むときに切込み（２２４）によって形成される孔に、２つの挿入部（２１４ａ，２１６ａ）か入り込み、第１面部分、第２面部分および第３面部分の積層状態を保持する。
【００４１】
請求項９の発明によれば、第１面部分上にディスクを載置し、全ての面部分を折り畳むだけでディスクを収納できる。したがって、ディスクの収納のために手間がかからず、収納が簡易である。
【発明の効果】
【００４２】
この発明によれば、ディスクを収納するときに手間がかからず、簡単に収納できる。また、この発明の紙製ディスクケースでは抜き落としが出ないので、材料を無駄にすることがない。さらに、エッジでディスクの記録面が傷つく恐れもない。
【００４３】
この発明の上述の目的，その他の目的，特徴および利点は、図面を参照して行う以下の実施例の詳細な説明から一層明らかとなろう。
【発明を実施するための最良の形態】
【００４４】
図１に示すこの発明の一実施例の紙製ディスクケース（以下、単に「ディスクケース」という。）１０は、１枚の板紙１２からなり、この板紙１２は、２つの面部分１４および１６と、それらを折り畳み可能に連結する折り曲げ部１８とを含む。このディスクケース１０は、一例として、板紙を型抜きしたもので、面部分１４には切込み２０ａおよび２０ｂを形成し、面部分１６には、切込み２０ａおよび２０ｂに対応する位置に切起し片２２ａおよび２２ｂを形成する。切起し片２２ａおよび２２ｂは、図１の点線で示す位置で面部分１６に連続するが、その先端部は容易に引き起こすことができるように型抜きされている。
【００４５】
そして、それぞれの面部分１４および１６は、基本的には、ディスクの直径よりやや長い一辺を有する正方形でよいが、縦横の一方が他方より長い長方形であってもよい。いずれの場合でも、各辺はディスクの直径より長いことが条件である。
【００４６】
なお、この発明のディスクケースはたとえばＣＤ（コンパクトディスク）、ＤＶＤ（ディジタル多用途ディスク）、次世代ＤＶＤ（ブルーレイディスク（商品名）など）等の任意のディスクに適用可能であることを予め指摘しておく。
【００４７】
図１実施例のディスクケース１０にディスク２４を収納する場合、図２に示すように、一方の面部分１４の上面（内面）にディスク２４を載せ、その状態で、折り曲げ部１８で、他方の面部分１６が面部分１４に重なるように、面部分１６を折り畳む。そして、面部分１６に形成されている切起し片２２ａおよび２２ｂを図２に示すように下方（内方）に引き起こし、先端から、面部分１４に形成されている切込み２０ａおよび２０ｂに、それぞれ、挿入する。したがって、切起し片２２ａおよび２２ｂは挿入片または挿入部として機能する。このように、切起し片２２ａおよび２２ｂを切込み２０ａおよび２０ｂに挿入することによって、面部分１４と１６とを互いに、分離しないように、係止し、それによってディスク２４の面部分１４および１６間からの脱落を防止する。
【００４８】
このようにして、面部分１４の上にディスク２４を載置し、面部分１６を面部分１４に重なるように折り畳み、切起し片２２ａおよび２２ｂを切込み２０ａおよび２０ｂに挿入するだけで、ディスク２４をディスクケース１０に収納することができる。したがって、先に挙げた従来技術に比べて、収納に手間がかからない。
【００４９】
ディスクケース１０内にディスク２４を収納した状態が図３に示される。この図３で、ケース１０内に存在するディスク２４は点線で描かれている。図３（Ａ）が表から、すなわち面部分１６の上から見た図で、図３（Ｂ）が裏から、すなわち面部分１４の下から見た図である。
【００５０】
この図３および先の図２からよくわかるように、面部分１６に形成されている切起し片２２ａおよび２２ｂは切込み２０ａおよび２０ｂを通って、面部分１４の裏に露出する。このような切起し片２２ａおよび２２ｂの切込み２０ａおよび２０ｂへの挿入または係合によって、ディスク２４は２つの面部分１４および１６でしっかりと挟持され得る。
【００５１】
また、ディスク２４の記録面は全体が面部分１４（または面部分１６）によって覆われ、この記録面にケースのエッジが存在することがないので、エッジによって記録面が損傷されることがない。
【００５２】
図４は図１実施例のディスクケース１０に上述のようにして収納したディスク２４が脱落しないことを説明するための図解図で、いずれも表（上）から見た図である。もともとこの実施例では、先に述べたように、ディスク２４と面部分１４および１６が面接触となるため、ディスク２４が横方向へは滑りにくいので、ディスク２４の横方向への移動は抑制されるのであるが、仮にディスクが移動しても脱落しない理由は、ディスク２４が３つの係止点２６ａ，２６ｂおよび２６ｃによって、拘止されることである。
【００５３】
詳しく説明すると、図４（Ａ）はディスク２４が紙面右方向に移動した状態を示す。この右方向移動時には、ディスク２４は、切込み２０ａに挿入された切起し片２２ａが形成する交差部、すなわち面部分１６の一部が面部分１４を貫通することによって面部分１４および１６が交差する部分２６ａと、折曲げ部１８とディスク２４の外周との接点２６ｃとによって、それ以上右方向へ移動するのが防止される。したがって、ディスク２４がさらに右方向へ移動して脱落することはない。
【００５４】
図４（Ｂ）はディスク２４が紙面左方向に移動した状態を示す。この左方向移動時には、ディスク２４は、切込み２０ｂに挿入された切起し片２２ｂが形成する交差部２６ｂと前述の接点２６ｃとによって、それ以上左方向へ移動して脱落するのが防止される。
【００５５】
図４（Ｃ）はディスク２４が紙面上方向に移動した状態を示す。この上方向移動時には、ディスク２４は、切込み２０ａに挿入された切起し片２２ａが形成する交差部２６ａと切込み２０ｂに挿入された切起し片２２ｂが形成する交差部２６ｂとによって、それ以上上方向へ移動するのが防止される。したがって、ディスク２４がさらに上方向へ移動して脱落することはない。
【００５６】
なお、ディスク２４が紙面下方向へ移動するときには、ディスク２４は折り曲げ部２８で阻止されるので、それ以上移動できないことは明白である。
【００５７】
このように、この実施例では、２つの面部分１４を折り畳んでその間にディスク２４を収納するという比較的簡単な構造であるにも拘らず、３つの係止点（交差部および接点）２６ａ−２６ｃによってディスク２４の脱落を完全に防止できる。
【００５８】
ただし、上で述べた交差部２６ａおよび２６ｃを形成する位置については注意が必要である。つまり、この交差部２６ａおよび２６ｂは、この実施例では、ディスク２４の上記接点２６ｃとは反対側（紙面上側）の頂部２４ａを挟んだ左右の位置に形成した。そうすることによって、ディスク２４が横方向に移動するときに、必ず１つの交差部がその方向への移動を阻止することができるのである。したがって、図１実施例において切込み２０ａおよび２０ｂすなわち切起し片２２ａおよび２２ｂを設ける位置は、収納したディスク２４の頂部２４ａを挟んで両側に交差部２６ａおよび２６ｂが形成される、そのような特定の位置である。
【００５９】
なお、図２に示すように、面部分の外面、この実施例では面部分１６の外面に、印刷部１３を形成した。実施例のような紙製ディスクケース１０では、公知の不織布でできたディスク収納袋と異なり、ディスクケース自体に印刷することができる。したがって、たとえばディスク２４がパソコン用のソフト（アプリケーションプログラム）を記録したものである場合、この印刷部１３に、従来であれば別の印刷物に印刷していたそのプログラムのインストール方法などを印刷しておけば、別の印刷物を不要とすることができる。しかも、その印刷部１３をたとえば大豆インクのように環境負荷の小さい材料で形成すれば、ディスクケース自体が紙であることと相俟って、従来のプラスチックケースなどに比べて、一層環境負荷を軽減できる。また、袋型ケースの場合にはケース内面には印刷できないが、この実施例のような板紙ケースであれば、両面を印刷面として利用できるので、印刷可能範囲が広いという利点がある。
【００６０】
図５に示す図１実施例の第１変形例は、図１実施例がディスク１枚だけを収納できるのに対して、２枚のディスクを収納するように変形したものである。そのために、この変形例では、板紙１２に、図１実施例の２つの面部分１４および１６の他にもう１つの面部分２８を設け、その第３の面部分２８を折り曲げ部２８を介して面部分１６に連続させている。折り曲げ部１８は、２つの面部分１４および１６を内折りする折り曲げ部であったが、折り曲げ部３０は、面部分１６および２８を外折りする折り曲げ部である。したがって、この実施例では、各面部分１４，１６および２８は、図６に示すように、つづら折りされる。
【００６１】
そして、面部分１６に、面部分１４の切込み２０ａおよび２０ｂと同じような切込み３２ａおよび３２ｂを形成する。この切込み３２ａおよび３２ｂに位置的に対応して、面部分１６の切起し片２２ａおよび２２ｂと同じような切起し片３４ａおよび３４ｂを面部分２８に形成する。したがって、面部分２８の切起し片３４ａおよび３４ｂが面部分１６の切込み３２ａおよび３２ｂに挿入され得る。
【００６２】
図５の実施例のディスクケース１０を用いて２枚のディスク２４，２４を収納するためには、図６に示すように、まず、図１実施例と同様に、面部分１４と面部分１６との間にディスク２４を挟んで、面部分１６の切起し片２２ａおよび２２ｂを面部分１４の切込み２０ａおよび２０ｂに挿入するとともに、もう１枚のディスク２４を面部分１６と面部分２８との間に入れ、面部分２８の切起し片３４ａおよび３４ｂを面部分１６の切込み３２ａおよび３２ｂに挿入する。
【００６３】
したがって、この実施例では、図７に簡略化して示すように、つづら折りされた３つの面部分１４，１６および２８のそれぞれの間に１枚ずつディスク２４が挟持される。
【００６４】
図８に示す図１実施例の第２変形例も、第１変形例と同様に、２枚のディスクを収納するように図１実施例を変形したものである。そのために、この第２変形例では、板紙１２に、図１実施例の２つの面部分１４および１６の他にもう１つの面部分３６を設け、その第３の面部分３６を折り曲げ部３８を介して面部分１４に連続させている。
【００６５】
そして、面部分１６に、面部分１４の切込み２０ａおよび２０ｂと同じような切込み４０ａおよび４０ｂを形成する。この切込み４０ａおよび４０ｂに位置的に対応して、面部分１６の切起し片２２ａおよび２２ｂと同じような切起し片４２ａおよび４２ｂを面部分３６に形成する。したがって、面部分３６の切起し片４２ａおよび４２ｂが面部分１６の切込み４０ａおよび４０ｂに挿入され得る。
【００６６】
図８の実施例のディスクケース１０を用いて２枚のディスク２４，２４を収納するためには、図９に示すように、まず、図１実施例と同様に、面部分１４と面部分１６との間にディスク２４を挟んで、面部分１６の切起し片２２ａおよび２２ｂを面部分１４の切込み２０ａおよび２０ｂに挿入するとともに、もう１枚のディスク２４を面部分１６の外面に載せて、その状態で面部分３６を面部分１６上に折り畳んで、面部分３６の切起し片４２ａおよび４２ｂを面部分１６の切込み４０ａおよび４０ｂに挿入する。
【００６７】
したがって、この実施例では、図１０に簡略化して示すように、面部分１４および１６の間に１枚、そして、面部分１６および３６の間に１枚、合計２枚のディスク２４が収納できる。
【００６８】
図１１に示すこの発明の他の実施例では、図１実施例およびそれの２つの変形例のいずれも、２つの面部分で１枚のディスクを保持するために切込みと切起し片（挿入部）との対を２対設けたのに対し、切込みとそれに挿入する挿入部を１対だけ形成した。
【００６９】
詳しく説明すると、この図１１に示すディスクケース１０も、図１実施例と同様に、板紙１２からなり、この板紙１２が折り曲げ部１８を挟んで連続する２つの面部分１４および１６を有する。そして、面部分１４に１つの切込み２０を形成するとともに、この切込み２０と対応する位置に、１つの挿入部２２を形成する。ただし、この切込み２０および挿入部２２の形成位置は、図１２に点線で示すディスク２４の頂部２４ａ（折り曲げ部１８と当る側とは反対側）よりやや外方（紙面では上方）の位置でかつ、その長さは、頂部２４ａを挟んで所定長さ左右に延びる長さとされる。そして、さらに、切込み２０も、先の実施例の切込みがいずれも単純な１本の線の切込みであったのに対して、ディスク２４の頂部２４ａ（図１２）において最大幅でかつそこから左右に離れるに従って幅が狭くなる、三日月形状とされる。また、その三日月形状の切込み２０へ挿入する挿入部２２は、左右で面部分１６から分離された切起し片として形成されている。
【００７０】
図１１実施例のディスクケース１０にディスク２４を収納する場合、先の実施例と同様に、一方の面部分１４の上面にディスク２４を載せ、その状態で、折り曲げ部１８で、他方の面部分１６が面部分１４に重なるように、面部分１６を折り畳む。そして、面部分１６に形成されている切起し片ないし挿入部２２を図１２に示すように、面部分１４に形成されている切込み２０に挿入する。このように、切起し片２２を切込み２０に挿入することによって、面部分１４と１６とを互いに分離しないように係止し、それによってディスク２４が面部分１４および１６間からの脱落を防止する。
【００７１】
このようにして、面部分１４の上にディスク２４を載置し、面部分１６を面部分１４に重なるように折り畳み、切起し片２２を切込み２０に挿入するだけで、ディスク２４をディスクケース１０に収納することができる。したがって、先の実施例と同様に、収納に手間がかからない。
【００７２】
さらに、この実施例でも、また、ディスク２４の記録面は全体が面部分１４（または面部分１６）によって覆われ、この記録面にケースのエッジが存在することがないので、エッジによって記録面に傷が付くことはない。
【００７３】
図１３は図１１実施例のディスクケース１０に上述のようにして収納したディスク２４が脱落しないことを説明するための図解図で、いずれも表（上）から見た図である。
【００７４】
詳しく説明すると、図１３（Ａ）はディスク２４が紙面右方向に移動した状態を示す。この右方向移動時には、ディスク２４は、切込み２０に挿入された切起し片２２の右端が形成する交差部２６ａと、折曲げ部１８とディスク２４の外周との接点２６ｃとによって、それ以上右方向へ移動して脱落するのが防止される。
【００７５】
図１３（Ｂ）はディスク２４が紙面左方向に移動した状態を示す。この左方向移動時には、ディスク２４は、切込み２０に挿入された切起し片２２の左端が形成する交差部２６ｂと接点２６ｃとによって、それ以上左方向へ移動して脱落するのが防止される。
【００７６】
図１３（Ｃ）はディスク２４が紙面上方向に移動した状態を示す。この上方向移動時には、ディスク２４は、切込み２０に挿入された切起し片２２の左右両端が形成する交差部２６ａおよび２６ｂによって、それ以上上方向へ移動するのが防止される。したがって、ディスク２４がさらに上方向へ移動して脱落することはない。
【００７７】
なお、この実施例でも、ディスク２４が紙面下方向へ移動するときには、ディスク２４は折り曲げ部２８で阻止されるので、それ以上移動できないことは明白である。
【００７８】
図１１実施例において上述のように切込み２０の両端部またはその近傍に形成された交差部２６ａおよび／または２６ｂがディスク２４の脱落を防止するためには、図１１に示す三日月形の切込み２０を規定する外方内縁２０ａと内方内縁２０ｂとの曲率を違える必要がある。内方内縁２０ｂの曲率はディスク２４の外周の曲率とほぼ等しくされ、それによって、円弧状のエッジがディスク２４の記録面内に進入するのを防いでいる。そして、この実施例では、外方内縁２０ａの曲率を内方内縁２０ｂの曲率より小さく設定している。そうすることによって、切込み２０へ挿入された挿入部２２が、曲率の小さい外方内縁２０ａによって内方内縁２０ｂの方向へ押され、それによって挿入部２２が内方内縁２０ｂへより密着する。そのため、切込み２０と切起し片２２とで形成する交差部２６ａおよび２６ｂが強固なものとなる。
【００７９】
図１４に示す実施例は図１１の実施例の変形例である。すなわち、図１１実施例のディスクケース１０が１枚用であるのに対し、図１４の実施例は３枚のディスクを収納できるようにしたディスクケースである。
【００８０】
図１４に示すように、この実施例のディスクケース１０は、それぞれが図１１実施例のディスクケース１０の板紙１２と同じ形状、構造の３つの板紙部分１１２１，１１２２および１１２３を含む。そして、板紙部分１１２１および１１２２は折り曲げ部４４で連結され、板紙部分１１２２および１１２３は折り曲げ部４６で連結されている。
【００８１】
板紙部分１１２１は折り曲げ部１１８１で連結された２つの面部分１１４１および１１６１を含み、面部分１１４１には三日月形状の切込み１２０１が、そして面部分１１６１にはそれに対応する切起し片（挿入部）１２２１が形成される。同じように、板紙部分１１２２および１１２３は、それぞれ、折り曲げ部１１８２および１８３で連結された２つの面部分１１４２，１１４３および１１６２，１１６３を含み、面部分１１４２および１１４３には三日月形状の切込み１２０２および１２０３が、そして面部分１１６２および１１６３には切起し片（挿入部）１２２２および１２２３が形成される。
【００８２】
そして、図１１実施例と同じ方法で、図１５に示すように、各板紙部分１１２１，１１２２および１１２３の面部分１１４１，１１４２および１１４３と面部分１１６１，１１６２および１１６３との間にそれぞれディスク２４を収納した後、図１６に示すように、折り曲げ部４４および４６によって、それぞれディスクを収納した状態の板紙部分１１２１，１１２２および１１２３を、図１４での縦方向に折り畳む。そうすることによって、３枚のディスクを収納したディスクケース１０がコンパクトになる。
【００８３】
図１７にこの発明の他の実施例のディスクケース１０の展開図を示す。この実施例のディスクケース１０は、基本的な収納原理については、図１実施例と同じである。つまり、ディスクケース１０を構成する板紙１２は、折り曲げ部１８で連結された面部分１４お１６を含み、面部分１４に切込み２０ａおよび２０ｂを形成し、面部分１６に切起し片２２ａおよび２２ｂを形成する。ただし、この実施例では、切込み２０ａ，２０ｂと切起し片２２ａ，２２ｂとが同じ抜き型で同じ形状に形成される。つまり、同じ形状の切込み部分が切込み２０ａおよび２０ｂとなり、同じ形状の切起し部分が切起し片２２ａおよび２２ｂとなる。したがって、この実施例では、抜き型を簡略化でき、コストを抑制することができる。
【００８４】
このように同じ形状の切込み２０ａ（２０ｂ）と切起し片２２ａ（２２ｂ）とを嵌め合うには、図１８に示すように、切起し片２２ａを切込み２０ａを形成している切起し片の下にもぐり込ませる。そうすれば、図１８（Ｃ）に示すように、切起し片２２ａが切込み２０ａを通して面部分１４の下面に達する。
【００８５】
図１７実施例のディスクケース１０を用いてディスクを収納するには、先の図２に示すように、一方の面部分１４の上にディスク２４を載せ、その状態で、折り曲げ部１８で、他方の面部分１６が面部分１４に重なるように、面部分１６を折り畳む。そして、上で説明した方法で面部分１６に形成されている切起し片２２ａおよび２２ｂを、図１８に示すように、面部分１４に形成されている切込み２０ａおよび２０ｂに、それぞれ、挿入する。
【００８６】
このように、面部分１４の上にディスク２４を載置し、面部分１６を面部分１４に重なるように折り畳み、切起し片２２ａおよび２２ｂを切込み２０ａおよび２０ｂに挿入するだけで、ディスク２４を簡単にディスクケース１０に収納することができる。
【００８７】
図１７実施例のディスクケース１０内にディスク２４を収納した状態が図１９に示される。この図１９で、ケース１０内に存在するディスク２４は点線で描かれている。図１９（Ａ）が表から見た図で、図１９（Ｂ）が裏からから見た図である。
【００８８】
この図１９を見てよくわかるように、面部分１６に形成されている切起し片２２ａおよび２２ｂは切込み２０ａおよび２０ｂを通って、面部分１４の裏に露出する。そして、切起し片２２ａおよび２２ｂの切込み２０ａおよび２０ｂへの係合によって、ディスク２４は２つの面部分１４および１６でしっかりと挟持され得る。
【００８９】
また、ディスク２４の記録面は全体が面部分で覆われるので、記録面の損傷が可及的回避できる。
【００９０】
図２０を参照して、図２０（Ａ）はディスク２４が紙面右方向に移動した状態を示す。この右方向移動時には、ディスク２４は、切込み２０ａに挿入された切起し片２２ａが形成する交差部２６ａと、折曲げ部１８とディスク２４の外周との接点２６ｃとによって、それ以上右方向へ移動するのが防止される。したがって、ディスク２４がさらに右方向へ移動して脱落することはない。
【００９１】
図２０（Ｂ）はディスク２４が紙面左方向に移動した状態を示す。この左方向移動時には、ディスク２４は、切込み２０ｂに挿入された切起し片２２ｂが形成する交差部２６ｂと接点２６ｃとによって、それ以上左方向へ移動して脱落するのが防止される。
【００９２】
図２０（Ｃ）はディスク２４が紙面上方向に移動した状態を示す。この上方向移動時には、ディスク２４は、交差部２６ａと交差部２６ｂとによって、それ以上上方向へ移動するのが防止される。したがって、ディスク２４がさらに上方向へ移動して脱落することはない。
【００９３】
なお、ディスク２４が紙面下方向へ移動するときには、ディスク２４は折り曲げ部２８で阻止されるので、それ以上移動できないことは前述のとおりである。
【００９４】
なお、ここまででは、ディスクケース１０にディスクが収納されていない状態からディスク２４を収納する実施例について説明した。しかしながら、図２１の実施例のディスクケース１０’は、ディスク２４をもともと収納しているディスクケースである。
【００９５】
詳しく説明すると、この実施例のディスクケース１０’は、折り曲げ部１８’で折り畳んだ２つの面部分１４’および１６’の間に図２１では点線で示すディスク２４を収納し、そして、上側の面部分１６’にミシン目４８を入れ、そのミシン目４８より外側で、２枚の面部分１４’および１６’を接着剤５２で接着する。この状態で出荷される。
【００９６】
この実施例の場合、ケースのパッケージ構造がシンプルなため、ディスク装填作業（接着工程まで）の半自動化、全自動化が容易となる。したがって、大量な作業を必要とする場合、作業期間の短縮やコストの削減が可能となる。
【００９７】
ユーザが図２１に示す状態でディスク内蔵のディスクケース１０’を受け取ると、ユーザは、上側の面部分１６’をミシン目４８から開封して、ディスク２４を取り出す。したがって、ミシン目４８の外側での２つの面部分１４’と１６’との接着または貼り付け強さは、開封のために上の面部分１６’をミシン目４８で切り離そうとするとき、面部分１６’が面部分１４’から剥がれないだけの強さが必要である。
【００９８】
ただし、接着剤５２による接着に代えて、ステープルやその他の手段によって面部分１４’および１６’を貼り付けてもよい。
【００９９】
上述のようにしてディスクケース１０’を開封してディスクを取り出して展開した状態を図２２に示す。図２１では図示できなかったが、このディスクケース１０’を形成する板紙１２’には、図２２に示すように、第１面部分１４’と第２面部分１６’とが折り曲げ部１８’で連続するように形成される。そして、面部分１４’には円弧状の切込み２０’が形成され、面部分１６’のミシン目４８（図２１）で切り離しときにこの面部分１６’の先端に挿入部２２’が形成される。したがって、たとえば先の図１１実施例と同じようにして、面部分１４’と１６’との間にディスク２４を挟み、開封時に面部分１６’に形成された挿入部２０’を面部分１４‘に予め形成してある切込み２０’へ挿入する。そうすることによって、ディスクケース１０’をいったん開封しても、同じディスクケースを用いて、ディスク２４を再度収納できる。この開封後のディスクの再収納においても、たとえば図１１実施例と同様に、挿入部２２’が作る交差部によってディスク２４の脱落の防止が図られている。
【０１００】
図２４にこの発明のさらに他の実施例のディスクケース１００が示される。図１あるいは図１１などの１枚用のディスクケースの板紙１２に２つの面部分１４および１６だけを形成して材料を節約してコストを抑制しようとしたのに対し、この実施例のディスクケース１００では、材料の節約の点では上述の実施例ほどでもないが、材料の無駄はなく、しかもディスクの収納時の簡易さが向上される。
【０１０１】
詳しく説明すると、この実施例のディスクケース１００は、１枚の板紙１１２からなり、この板紙１１２は、３つの面部分１１４，１１６および１２０と、それらを折り畳み可能に連結する折り曲げ部１１８および１２２とを含む。このディスクケース１００も先の実施例と同様に、一例として、板紙を型抜きしたものである。
【０１０２】
そして、面部分１１４には半円より小さい円弧状の切込み１２４を形成する。面部分１１４にこのような円弧状の切込み１２４を形成すると、面部分１１４は、この切込み１２４を境に、上半分１１４ａと下半分１１４ｂとに分割される。ただし、厳密には「半分」ではなく、図２４からわかるように上半分１１４ａが下半分１１４ｂより大きいが、ここでは便宜上「半分」と呼ぶ。円弧状の切込み１２４の差し渡し長さＡが面部分１１４の横方向長さＢより短いので、上半分１１４ａと下半分１１４ｂとは、完全に分離されるのではなく、連結部１２４ａで連結される。ただし、この差し渡し長さＡは、ディスク２４の直径Ｃよりも短い。そして、ディスク２４の直径Ｃは、面部分１１４の幅Ｂと同じかそれより小さい。
【０１０３】
なお、この実施例のディスクケース１００もたとえばＣＤ、ＤＶＤ、次世代ＤＶＤ等の任意のディスクに適用可能である。
【０１０４】
図２４実施例のディスクケース１００にディスク２４を収納する場合、図２５および図２６に示すように、まず、円弧状の切込み１２４で分割されている面部分１１４の下半分１１４ｂを、連結部１２４ａで上半分１１４ａの上に重なるように折り畳む（図２６（Ａ））。そうすると、面部分の上半分１１４ａと下半分１１４ｂとによって、「ポケット」様のものができあがる。ただし、この「ポケット」は、切込み１２４のために一端が開放されている。そして、このポケットにディスク２４をたとえば図２５に示すように挿入する（図２６（Ｂ））。したがって、ディスク２４が面部分１１４の上半分１１４ａと下半分１１４ｂとの間に挟まれた状態となる。
【０１０５】
この状態で、面部分１１４を面部分１１６と重なるように折り曲げ部１１８で折り畳む（図２６（Ｃ）参照）。この状態では、面部分１１６の上に、上半分１１４ａと下半分１１４ｂとでディスク２４を挟持した面部分１１４が折り畳まれている。その後、さらに、折り曲げ部１２２で、面部分１２０の上に重なるように、重畳状態にある面部分１１４と１１６とを折り畳む（図２６（Ｄ））。つまり、各面部分１１４，１１６および１２０を折り畳む。これで、ディスクケース１００に１枚のディスク２４が収納される。
【０１０６】
この実施例のディスクケース１００では、面部分１１４の下半分１１４ｂを切込み１２４で上半分１１４ａの上に折り返し、上半分１１４ａと下半分１１４ｂとの間にディスク２４を挟持し、その上に２つの面部分１１６および１２０を順次折り畳むだけでディスク２４を収納できる。したがって、従来技術に比べて、ディスクを保持片や切込み溝を引き起こしてその下に入れるという面倒な作業が不要なので、収納に手間がかからない。
【０１０７】
さらに、この実施例のディスクケース１００でも、上で説明した各実施例と同じように、ディスク２４の脱落が３点で阻止される。つまり、面部分１１４に形成した円弧状の切込み１２４の差し渡し長さＡがディスク２４の直径Ｃ（図２４）より短いので、ディスク２４は、図２６（Ｂ）に図示するように、ディスク２４の頂部２４ａ（図２６（Ｄ））を挟んだ両側の２つの係止点１２６ａおよび１２６ｂで保持される。したがって、ディスク２４の、面部分１１４の切込み１２４からの脱落はこの係止点１２６ａおよび１２６ｂで阻止される。他方、ディスク２４の頂部２４ａと反対側では、折り曲げ部１１８におけるディスク２４との接点１２６ｃによって脱落が阻止されることは、先の実施例と同様である。
【０１０８】
なお、この図２４の実施例では、面部分１１４に弧状の切込み１２４が形成されるが、その切込みの曲率はディスク２４の外周のそれと同じであるため、ディスク２４は、面部分２１４の上に載置されたとき、ディスク２４の全面は面部分２１４で覆われるので、ディスク２４の記録面が紙のエッジで損傷することはない。
【０１０９】
図２７にこの発明のその他の実施例のディスクケース２００が示される。この実施例も、図２４の実施例と同様に、材料の無駄がなく、しかもディスク収納時の作業性を向上させることができる。
【０１１０】
詳しく説明すると、この実施例のディスクケース２００は、１枚の板紙２１２からなり、この板紙２１２は、３つの面部分２１４，２１６および１２０と、それらを折り畳み可能に連結する折り曲げ部２１８および２２２とを含む。このディスクケース２００も先の実施例と同様に、一例として、板紙を型抜きしたものである。
【０１１１】
そして、点線で示すようにディスク（この実施例ではＣＤ）２４を載置する面部分２１４と、面部分２２０との境界には、折目２２２を跨いで、切込み２２４が幅方向中央の所定幅で形成される。したがって、面部分２１４には、この切込み２１４によって、挿入片ないし挿入部２１４ａが形成される。折り目２１８でこの面部分２１４上に折り畳まれる面部分２１６には、折り畳んだとき上記挿入部２１４ａと重なる位置にほぼ同じ大きさの挿入片ないし挿入部２１６ａが形成される。
【０１１２】
上述の挿入片２１４ａおよび２１６ａの突出長さは「ｙ」である。そして、ディスク２４の直径を「Ｃ」としたとき、面部分２１４，２１６および２２０は、当然、その直径Ｃ以上の幅（図２７の左右方向）を有する。面部分２１４の長さ（図２７の上下方向）は、折目２１８の中心から折目２２２の中心までで、「Ｃ＋ｘ−ｙ」である。たただし、「ｘ」は折畳み部または折目の２１８および２２２の幅（図２７の上下方向）の１／２の長さである。同じく、面部分２２０の長さも、「Ｃ＋ｘ−ｙ」である。折畳み部２１８の中心から面部分２１４の挿入部２１４ａの先端までの長さは「Ｃ＋ｘ」であり、折畳み部２１８の中心から面部分２１６の挿入部２１６ａの先端までの長さも「Ｃ＋ｘ」である。したがって、ディスク２４は、面部分２１４の上に載置されたとき、ディスクの一部は挿入片２１４ａの上まではみ出るが、ディスク２４の前面は面部分２１４および挿入部２１４ａで覆われるので、ディスク２４の記録面が紙のエッジで損傷することはない。
【０１１３】
なお、この実施例のディスクケース２００もたとえばＣＤ、ＤＶＤ、次世代ＤＶＤ等の任意のディスクに適用可能である。
【０１１４】
図２７実施例のディスクケース２００にディスク２４を収納する場合、図２８（Ａ）に示すように、まず、面部分２１４の上（内面）にディスク２４を載置する。その状態で折目２１８で面部分２１６を折り畳む。次に、図２８（Ｂ）に示すように、面部分２２０を、上述のように折り畳んだ面部分２１６の上に重ねるように、折目２２２で折り畳む。面部分２２０を折り畳むと、面部分２１４と面部分２２０との境目に形成されている切込み２２４の部分では、挿入片２１４ａの幅ｙの高さを有する孔が形成される。そのため、この孔に、２つの挿入片２１４ａおよび２１６ａが入り込む。挿入片２１４ａおよび２１６ａの幅ｙはあまり大きくないので、面部分２２０を折り畳むときに、挿入部２１４ａおよび２１６ａは、特に挿入のための作業をしなくても、自然にスムーズに「孔」に入り込む。したがって、ディスク２４を面部分２１４上に載せ、面部分２１６および２２０を順次折り畳むだけで、図２８（Ａ）の状態から、図２８（Ｂ）の状態を経て、図２８（Ｃ）の状態になる。つまり、この実施例のケース２００では、ディスク２４を載せ、面部分を順次折り畳むだけで、ディスク収納が完了する。したがって、手間がかからない。
【０１１５】
さらに、この実施例のディスクケース２００でも、上で説明した各実施例と同じように、ディスク２４の脱落が３点で阻止される。つまり、折目２２２で面部分２２０を折り畳むと、切込み２２４で分離された折目２２２の外側部分が立ち上り、それによって挿入部２１４ａの両端にディスク係止部２２６ａおよび２２６ｂ（図２７）が形成される。このように、ディスク２４は、図２７に図示するように、ディスク２４の頂部２４ａを挟んだ両側の２つの係止点２２６ａおよび２２６ｂで保持される。したがって、ディスク２４の、面部分２１４の切込み２２４からの脱落はこの係止点２２６ａおよび２２６ｂで阻止される。他方、ディスク２４の頂部２４ａと反対側では、折り曲げ部２１８におけるディスク２４との接点２２６ｃによって脱落が阻止されることは、先の実施例と同様である。
【０１１６】
図２７の実施例は、挿入片２１６ａの左右両側に若干の切り落とし部分が発生するが、従来技術に比べてその面積は小さく、基本的な形状は長方形型といえる。したがって、材料（原紙）の無駄は少ない。また、上で説明した各実施例（ディスクケース１００を除く）に比べて、ディスクの収納時の簡易さをさらに向上できる。
【０１１７】
なお、各実施例のディスクケースは、いずれも、１枚の板紙の型抜きで形成した。しかしながら、２枚以上の板紙を用いて形成するようにしてもよい。
【０１１８】
そらに、使用する板紙も実施例の板紙に限られることなく、他の適宜の特性の適宜の厚みの紙が採用されてもよい。
【図面の簡単な説明】
【０１１９】
【図１】この発明の一実施例のディスクケースを示す展開図である。
【図２】図１実施例のディスクケースにディスクを収納する状態を示す斜視図である。
【図３】図１実施例のディスクケースにディスクを収納した状態を示す図解図であり、（Ａ）は表から見た状態を示し、（Ｂ）は裏から見た状態を示す。
【図４】図１実施例のディスクケースに収納したディスクが脱落しないことを説明する図解図であり、いずれも表から見た状態を示している。
【図５】図１実施例の第１変形例のディスクケースを示す展開図である。
【図６】図５実施例のディスクケースにディスクを収納する状態を示す斜視図である。
【図７】図５実施例のディスクケースにディスクを収納した状態を示す断面図解図である。
【図８】図１実施例の第２変形例のディスクケースを示す展開図である。
【図９】図８実施例のディスクケースにディスクを収納する状態を示す斜視図である。
【図１０】図８実施例のディスクケースにディスクを収納した状態を示す断面図解図である。
【図１１】この発明の他の実施例のディスクケースを示す展開図である。
【図１２】図１１実施例のディスクケースにディスクを収納した状態を示す図解図であり、（Ａ）が表から見た状態を示し、（Ｂ）が裏から見た状態を示す。
【図１３】図１１実施例のディスクケースに収納したディスクが脱落しないことを説明する図解図であり、いずれも表から見た状態を示している。
【図１４】図１１実施例の変形例のディスクケースを示す展開図である。
【図１５】図１４実施例のディスクケースにディスクを収納する状態を示す図解図である。
【図１６】図１４実施例のディスクケースにディスクを収納する状態を示す斜視図である。
【図１７】この発明のさらに他の実施例のディスクケースを示す展開図である。
【図１８】図１７実施例のディスクケースで挿入部を切込みへ挿入する方法を示す図解図である。
【図１９】図１７実施例のディスクケースにディスクを収納した状態を示す図解図であり、（Ａ）が表から見た状態を示し、（Ｂ）が裏から見た状態を示す。
【図２０】図１７実施例のディスクケースに収納したディスクが脱落しないことを説明する図解図であり、いずれも表から見た状態を示している。
【図２１】この発明のなおも他の実施例のディスクケースにディスクを収納している状態を示す図解図である。
【図２２】図２１実施例のディスクケースを開封してディスクを取り出した状態を示す展開図である。
【図２３】図２１実施例のディスクケースを開封した後ディスクを再度収納した状態を示す図解図であり、（Ａ）が表から見た状態を示し、（Ｂ）が裏から見た状態を示す。
【図２４】この発明のさらに他の実施例のディスクケースを示す展開図である。
【図２５】図２４実施例のディスクケースにディスクを収納する状態を示す斜視図である。
【図２６】図２４実施例のディスクケースにディスクを収納する状態を順次示す図解図である。
【図２７】この発明のその他の実施例のディスクケースを示す展開図である。
【図２８】図２７実施例のディスクケースにディスクを収納する状態を順次示す図解図である。
【符号の説明】
【０１２０】
１０，１００，２００，１０００  …ディスクケース
１２，１１２，２１２，１１２１−１１２３  …板紙
１４，１６，２８，３６，１１４，１１６，１２０，２１４，２１６，２２０，１１４１−１１４３，１１６１−１１６３  …面部分
１８，１８’，３０，３４，４４，４６，１１８，１２２，２１８，２２２，１１８１−１１８３  …折り曲げ部
２０，２０ａ，２０ｂ，１２４，２２４，１２０１−１２０３  …切込み
２２，２２ａ，２２ｂ，２１４ａ，２１６ａ，１２２１−１２２３  …切起し片（挿入部）
２６ａ，２６ｂ，２６ｃ，１２６ａ，１２６ｂ，１２６ｃ，２２６ａ，２２６ｂ，２２６ｃ  …係止部
【図１】
2006051973.tif 000003
【図２】
2006051973.tif 000004
【図３】
2006051973.tif 000005
【図４】
2006051973.tif 000006
【図５】
2006051973.tif 000007
【図６】
2006051973.tif 000008
【図７】
2006051973.tif 000009
【図８】
2006051973.tif 000010
【図９】
2006051973.tif 000011
【図１０】
2006051973.tif 000012
【図１１】
2006051973.tif 000013
【図１２】
2006051973.tif 000014
【図１３】
2006051973.tif 000015
【図１４】
2006051973.tif 000016
【図１５】
2006051973.tif 000017
【図１６】
2006051973.tif 000018
【図１７】
2006051973.tif 000019
【図１８】
2006051973.tif 000020
【図１９】
2006051973.tif 000021
【図２０】
2006051973.tif 000022
【図２１】
2006051973.tif 000023
【図２２】
2006051973.tif 000024
【図２３】
2006051973.tif 000025
【図２４】
2006051973.tif 000026
【図２５】
2006051973.tif 000027
【図２６】
2006051973.tif 000028
【図２７】
2006051973.tif 000029
【図２８】
2006051973.tif 000030